(57)【要約】      （修正有）【課題】立体画像を視認角度を変化させてみた場合でも画像の品質低下のない画像処理方法を提供する。【解決手段】補正ドット数を算出する算出工程Ｓ３００と、補正対象画像データを検出する検出工程Ｓ３１０と、複数の元画像データを細分化した複数の部分画像データを生成し、レンズごとに複数の部分画像データを視差順に配置したデータブロックを生成するブロック生成工程Ｓ３２０と、検出工程において検出された補正対象画像データを含むデータブロックを対象として、１個の前記部分画像データに対して第１の方向における１ドット分の画像データを挿入または削除して補正する処理を、個数を補正ドット数とする部分画像データに対して補正する補正工程Ｓ３３０と、補正工程において補正されたデータブロックを含む全部のデータブロックを、レンズごとに対応させて配置した合成画像データを生成する画像合成工程Ｓ３４０を含む方法。【選択図】図１０
2015031816.tif 000002
【特許請求の範囲】
【請求項１】
第１の方向に複数のレンズが並んで配置されたレンズシートに、視差が異なる複数の元
画像データに基づいて、立体視される視差画像を形成する画像処理方法であって、
前記第１の方向における、設計値としてのレンズピッチと測定値としてのレンズピッチ
とのピッチ差、ドット密度、前記レンズシートの長さに基づいて、補正ドット数を算出す
る算出工程と、
前記元画像データにおいて補正対象となる補正対象画像データを検出する検出工程と、
前記複数の元画像データを細分化した複数の部分画像データを生成し、前記レンズごと
に前記複数の部分画像データを視差順に配置したデータブロックを生成するブロック生成
工程と、
前記検出工程において検出された前記補正対象画像データを含む前記データブロックを
対象として、１個の前記部分画像データに対して前記第１の方向における１ドット分の画
像データを挿入または削除して補正する処理を、前記補正ドット数と同じ数値の個数の前
記部分画像データに対して補正する補正工程と、
前記補正工程において補正された前記データブロックを含む全部の前記データブロック
を、前記レンズごとに対応させて配置した合成画像データを生成する画像合成工程と、を
含むことを特徴とする画像処理方法。
【請求項２】
請求項１に記載の画像処理方法であって、
前記補正対象画像データは、前記元画像データから生成される元画像において前記第１
の方向と交わる方向に延びるエッジを形成することを特徴とする画像処理方法。
【請求項３】
請求項１に記載の画像処理方法であって、
前記補正対象画像データは、前記元画像データから生成される元画像において前記第１
の方向における移動量が小さいオブジェクトを形成する画像データであることを特徴とす
る画像処理方法。
【請求項４】
請求項２に記載の画像処理方法であって、
前記エッジは、前記元画像において前記レンズシートの外周に沿って形成されたフレー
ムの部分であることを特徴とする画像処理方法。
【請求項５】
請求項１から請求項４のいずれか一項に記載の画像処理方法であって、
前記レンズは、円形状を有し、前記第１の方向と交わる第２の方向に並び、
前記第２の方向における、設計値としてのレンズピッチと測定値としてのレンズピッチ
とのピッチ差、ドット密度、前記レンズシートの長さに基づいて、補正ドット数を算出す
る工程を含むことを特徴とする画像処理方法。
【請求項６】
請求項１から請求項５のいずれか一項に記載の画像処理方法に基づいて前記レンズシー
トに対してインク滴を噴射させ、前記レンズシートへの印刷を実行可能とすることを特徴
とする印刷装置。
【発明の詳細な説明】
【技術分野】
【０００１】
本発明は、画像処理方法および印刷装置に関する。
【背景技術】
【０００２】
複数の凸レンズを配置したレンチキュラーレンズを備えたシートに印刷画像を形成し、
この凸レンズを通してその印刷画像を見ると立体視されるものがある。それぞれの凸レン
ズの焦点側には、細分化された複数の部分画像が形成される。これらの部分画像は、観察
者の視認角度の変化の順に応じて視認される画像が変化するように配置される。
凸レンズが配置されたピッチが、部分画像が配置されたピッチの整数倍であることが望
ましい。しかし、レンチキュラーレンズを製造する際の製造誤差により、凸レンズが配置
されたピッチが、部分画像が配置されたピッチの整数倍にならない場合がある。
凸レンズのピッチが、部分画像のピッチの整数倍でない場合は、凸レンズのピッチと部
分画像の整数倍のピッチとのピッチ差が累積され、凸レンズと部分画像の相対位置がずれ
てしまう。そのため、観察者が視認角度を変化させてみた場合には、不要な線となって視
認され、立体視される画像の品質が低下してしまう。
そこで、例えば、特許文献１では、一つの凸レンズに対応させる部分画像の個数を増減
させて画像を調整する方法が提案されている。
【先行技術文献】
【特許文献】
【０００３】
【特許文献１】特開平８−１０１３５９号公報
【発明の概要】
【発明が解決しようとする課題】
【０００４】
しかしながら、観察者が視認角度を変化させてみた場合に、特許文献１の方法を用いて
画像を調整した箇所は、不要な線として視認されることがあり、立体視される画像の品質
低下の抑制には不十分である。
【課題を解決するための手段】
【０００５】
本発明は、上述の課題の少なくとも一部を解決するためになされたものであり、以下の
形態または適用例として実現することが可能である。
【０００６】
［適用例１］第１の方向に複数のレンズが並んで配置されたレンズシートに、視差が異
なる複数の元画像データに基づいて、立体視される視差画像を形成する画像処理方法であ
って、前記第１の方向における、設計値としてのレンズピッチと測定値としてのレンズピ
ッチとのピッチ差、ドット密度、前記レンズシートの長さに基づいて、補正ドット数を算
出する算出工程と、前記元画像データにおいて補正対象となる補正対象画像データを検出
する検出工程と、前記複数の元画像データを細分化した複数の部分画像データを生成し、
前記レンズごとに前記複数の部分画像データを視差順に配置したデータブロックを生成す
るブロック生成工程と、前記検出工程において検出された前記補正対象画像データを含む
前記データブロックを対象として、１個の前記部分画像データに対して前記第１の方向に
おける１ドット分の画像データを挿入または削除して補正する処理を、前記補正ドット数
と同じ数値の個数の前記部分画像データに対して補正する補正工程と、前記補正工程にお
いて補正された前記データブロックを含む全部の前記データブロックを、前記レンズごと
に対応させて配置した合成画像データを生成する画像合成工程と、を含むことを特徴とす
る画像処理方法。
【０００７】
本適用例によれば、元画像データにおいて補正対象となる補正対象画像データを検出す
る検出工程を含む。これにより、画像データを補正したことにより、立体視される視差画
像において生じる、第１の方向と交わる方向に延びる不要な線を目立たない部分に生じさ
せることができる。そのため、立体視される視差画像の品質低下を抑制できる。
【０００８】
［適用例２］前記補正対象画像データは、前記元画像データから生成される元画像にお
いて前記第１の方向と交わる方向に延びるエッジを形成することを特徴とする上記画像処
理方法。
【０００９】
本適用例によれば、補正したことによって生じる不要な線が、エッジと重なることによ
って目立たなくなる。
【００１０】
［適用例３］前記補正対象画像データは、前記元画像データから生成される元画像にお
いて前記第１の方向における移動量が小さいオブジェクトを形成する画像データであるこ
とを特徴とする上記画像処理方法。
【００１１】
本適用例によれば、第１の方向における移動量が小さいオブジェクトを形成する画像デ
ータは、細分化された部分画像データ間における階調値の変化が大きい。そのため、視差
画像における視差角度の変化による階調値の変化が大きいので、補正したことによって生
じる不要な線が目立たなくなる。
【００１２】
［適用例４］前記エッジは、前記元画像において前記レンズシートの外周に沿って形成
されたフレームの部分であることを特徴とする上記画像処理方法。
【００１３】
本適用例によれば、補正したことによって生じる不要な線が、フレームのエッジと重な
ることによって目立たなくなる。
【００１４】
［適用例５］前記レンズは、円形状を有し、前記第１の方向と交わる第２の方向に並び
、前記第２の方向における、設計値としてのレンズピッチと測定値としてのレンズピッチ
とのピッチ差、ドット密度、前記レンズシートの長さに基づいて、補正ドット数を算出す
る工程を含むことを特徴とする上記画像処理方法。
【００１５】
本適用例によれば、画像データを補正したことにより、立体視される視差画像において
生じる、第２の方向と交わる第１の方向に延びる不要な線を目立たない部分に生じさせる
ことができる。そのため、立体視される視差画像の品質低下を抑制できる。
【００１６】
［適用例６］上記記載の画像処理方法に基づいて前記レンズシートに対してインク滴を
噴射させ、前記レンズシートへの印刷を実行可能とすることを特徴とする印刷装置。
【００１７】
本適用例によれば、元画像データにおいて補正対象となる補正対象画像データを検出す
る。これにより、画像データを補正したことにより、立体視される視差画像において生じ
る不要な線を目立たない部分に生じさせることができる。そのため、立体視される視差画
像の品質低下を抑制できる。
【図面の簡単な説明】
【００１８】
【図１】レンズシートの概略構成を示す図。
【図２】プリンターの概略構成を示す図。
【図３】印刷装置の概略構成を示す図。
【図４】コンピューターの概略構成を示す図。
【図５】プリンタードライバープログラムのモジュール構成を示すブロック図。
【図６】元画像を示す図。
【図７】画像合成モジュールの処理内容を説明するための模式図。
【図８】インク滴を噴射して形成した視差画像を示す模式図。
【図９】プリンタードライバープログラムで実行される処理の流れを示すフローチャート。
【図１０】合成画像データの生成処理の流れを説明するフローチャート。
【図１１】移動量を説明するための図。
【図１２】移動量を比較して説明するための図。
【図１３】移動量が異なるオブジェクトが形成された元画像を示す図。
【図１４】複数の円形状のレンズが配置された様子を示す図。
【発明を実施するための形態】
【００１９】
（実施例１）
以下に、本発明の実施例に係る、印刷装置について、図を参照しながら説明する。図３
は、印刷装置１１の概略構成を示す図である。印刷装置１１は、プリンター１０とコンピ
ューター１３０とから構成されている。
【００２０】
＜レンズシートについて＞
最初に、印刷媒体であるレンズシートについて説明する。図１（ａ）は、レンズシート
ＬＳをレンチキュラーレンズＬＳ１側から見た図である。レンチキュラーレンズＬＳ１は
、方向Ｈを長手方向とする複数のシリンドリカル凸レンズＬ（以降は、レンズＬという）
が、一定のピッチＰで幅方向Ｗに並列配置された構成となっている。
【００２１】
図１（ｂ）は、方向Ｈから見たレンズシートＬＳの概略構成を示す断面図である。レン
ズシートＬＳは、表面に位置するレンチキュラーレンズＬＳ１と、このレンチキュラーレ
ンズＬＳ１の裏面と接するインク吸収層ＬＳ２と、レンズシートＬＳの裏面に位置するイ
ンク透過層ＬＳ３とを具備している。レンチキュラーレンズＬＳ１においては、それぞれ
のレンズＬを進行する光の焦点が、レンチキュラーレンズＬＳ１の裏面に位置するように
、レンズＬの曲率が形成されるのが好ましい。
【００２２】
また、インク透過層ＬＳ３は、不図示のノズルから噴射されたインク滴が最初に付着す
る部分であり、該付着したインクが透過していく部分である。このインク透過層ＬＳ３は
、たとえば酸化チタン、シリカゲル、ＰＭＭＡ（メタクリル樹脂）等の微粒子、硫酸バリ
ウム、ガラスファイバー、プラスチックファイバー等を材質として形成されている。また
、インク吸収層ＬＳ２は、インク透過層ＬＳ３を透過したインクを吸収し固着させる部位
である。このインク吸収層ＬＳ２は、たとえばＰＶＡ（ポリビニルアルコール）等の親水
性ポリマー樹脂、カチオン化合物、シリカ等の微粒子等を材質として形成されている。ま
た、レンチキュラーレンズＬＳ１は、ＰＥＴ、ＰＥＴＧ、ＡＰＥＴ、ＰＰ、ＰＳ、ＰＶＣ
、アクリル、ＵＶ樹脂等を材質として形成されている。
【００２３】
なお、インク吸収層ＬＳ２は透明であると共に、インク透過層ＬＳ３は、白色である。
しかしながら、インク吸収層ＬＳ２が白色であっても良く、またインク透過層ＬＳ３が透
明であっても良く、さらにインク透過層ＬＳ３とインク吸収層ＬＳ２の両方が透明であっ
ても良い。また、本実施例では、インク透過層ＬＳ３が存在することにより、印刷後であ
っても、レンズシートＬＳを直ぐに触ることが可能となっている。しかしながら、レンズ
シートＬＳは、インク透過層ＬＳ３を具備しない構成を採用しても良い。
【００２４】
また、図１に示すように、本実施例におけるレンズシートＬＳは、その外観が矩形状を
為していると共に、該矩形状の外観を構成するレンズシートＬＳの縁部が、レンズＬの長
手方向と平行となっている。
【００２５】
＜プリンター１０の概略構成について＞
図２は、プリンター１０の概略構成を示す図であり、プリンター１０を後方から見た斜
視図である。なお、図２において、印刷媒体としてのレンズシートＬＳが進行する方向で
ある矢印Ｘの方向を前方（前側）とし、この反対方向を後方（後側）とする。また、後方
から前方に向かって右手方向となる矢印Ｙの方向を右方（右側）とし、この反対方向であ
る左手方向を左方（左側）とする。そして、矢印Ｚの方向を上方（上側）とし、この反対
方向を下方（下側）として、以下の説明を行うこととする。
【００２６】
プリンター１０は、外装体である筐体２０と、レンズシートＬＳを下側から支持するシ
ートガイド３０と、シートガイド３０上に載置されたレンズシートＬＳを後方から前方に
向けて搬送する給紙ローラー４０および排紙ローラー４１と、レンズシートＬＳをシート
ガイド３０に向けて押圧するシート押さえローラー４２と、レンズシートＬＳに対して記
録を行う印刷ヘッド５１等を有する。
【００２７】
筐体２０の後側の一側面には、レンズシートＬＳを筐体２０内に供給するための給紙開
口部２１が形成され、また、前側の一側面には、給紙開口部２１の側から供給されたレン
ズシートＬＳを排出する排紙開口部２２が形成されている。給紙開口部２１からプリンタ
ー１０に供給されたレンズシートＬＳは、給紙ローラー４０および排紙ローラー４１によ
り前方に向かって搬送されると共に、印刷ヘッド５１により記録が行われた後、排紙開口
部２２からプリンター１０の外部に排出される。
【００２８】
シートガイド３０は、給紙ローラー４０、排紙ローラー４１およびシート押さえローラ
ー４２の下方に配設され、全体として矩形の板状体を呈している。このシートガイド３０
は、前後方向が、給紙開口部２１の後方に突出した位置から排紙開口部２２と排紙ローラ
ー４１との間の位置に亘って備えられている。また、左右の幅方向については、載置され
るレンズシートＬＳの全幅に亘って支持できる幅となっている。シートガイド３０は、筐
体２０、または内部のフレーム等の構造体に対して図示を省略する構成により取り付けら
れている。
【００２９】
シートガイド３０は、基板３１と係合部３２とを備えている。基板３１は、樹脂等から
形成される板状体の部位であり、その上面３１Ａに、レンチキュラーレンズＬＳ１と同一
部材が貼付される。そして、この貼付により、係合部３２が形成される。係合部３２は、
本実施例では、レンズシートＬＳのレンチキュラーレンズＬＳ１と同一形状に形成されて
いる。すなわち、レンチキュラーレンズＬＳ１を形成する各レンズＬと同一形状の凸条３
３が、レンチキュラーレンズＬＳ１の配設ピッチと同一ピッチ、かつレンズシートＬＳの
幅よりも広い幅に亘って並設されている。また、凸条３３の長手方向は、レンズシートＬ
Ｓの所定の搬送方向、すなわち給紙ローラー４０および排紙ローラー４１に直交する方向
に沿って形成されている。
【００３０】
なお、係合部３２は、レンチキュラーレンズＬＳ１と同一部材により形成しているが、
基板３１を樹脂成形により作成する場合には、成形金型に予め係合部３２に対応する型面
を形成して、係合部３２を基板３１と一体に成形するようにしても良い。また、基板３１
に係合部３２を一体に樹脂成形する場合には、基板３１を形成する樹脂材をフッ素樹脂等
の低摩擦の樹脂材とすることで、レンズシートＬＳと係合部３２との摩擦を小さくするこ
とができ、レンズシートＬＳの搬送をスムーズに行うことができる。また、基板３１を金
属板により形成してもよい。この場合には、金属板を切削加工することにより係合部３２
を形成することができる。
【００３１】
印刷ヘッド５１の前後には、給紙ローラー４０と排紙ローラー４１が配設されている。
給紙ローラー４０と排紙ローラー４１は、それぞれ給紙用モーター４４と排紙用モータ
ー４３により回転駆動され、シートガイド３０の上に載置されているレンズシートＬＳを
後方から前方に向けて搬送する。これら給紙ローラー４０および排紙ローラー４１は、レ
ンズシートＬＳの幅よりも長く設けられていて、レンズシートＬＳを広い範囲に亘り均一
に係合部３２に押圧可能となっており、レンチキュラーレンズＬＳ１と係合部３２との係
合状態をより確実化させることができる。
【００３２】
なお、給紙ローラー４０および排紙ローラー４１は、その周囲を、弾性を有する肉厚の
ゴム材により被覆するようにしても良い。このように構成する場合、給紙ローラー４０お
よび排紙ローラー４１の表面が弾性変形可能となる。また、給紙ローラー４０とシートガ
イド３０との間の間隔および排紙ローラー４１とシートガイド３０との間の間隔を、レン
ズシートＬＳの厚さより狭く構成することで、給紙ローラー４０および排紙ローラー４１
がレンズシートＬＳをシートガイド３０に押圧する状態とする。
【００３３】
また、給紙ローラー４０よりも上流側（後方側）の部位には、シート押さえローラー４
２が配置されている。シート押さえローラー４２は、たとえば、ステンレスや真鍮等の金
属で形成され、レンズシートＬＳの左右方向の幅よりも長く設けられている。また、シー
ト押さえローラー４２の左右の端面には、シート押さえローラー４２のうちレンズシート
ＬＳに接触する部分よりも小径の軸部４２ａが設けられている。
【００３４】
シート押さえローラー４２の両端側には、軸受部４５が配置されている。この軸受部４
５には、軸受孔４５ａが形成されている。この軸受孔４５ａは、上下方向に長い長円形状
に設けられている。この軸受孔４５ａに対して、上述の軸部４２ａが挿入される。つまり
、シート押さえローラー４２は、軸受部４５に対して上下方向に変位可能に支持されてい
る。
【００３５】
ここで、シート押さえローラー４２とシートガイド３０との間にレンズシートＬＳを差
し込むと、シート押さえローラー４２は、レンズシートＬＳの存在により、上方に持ち上
げられる状態となる。すなわち、シート押さえローラー４２の軸部４２ａが軸受孔４５ａ
の下端部に支持されている状態では、シートガイド３０とシート押さえローラー４２との
間の間隔が、シートガイド３０に載置されているレンズシートＬＳの上面（裏面；インク
透過層ＬＳ３側の面）と凸条３３の頂部との間の距離より狭くなるように設定されている
。それにより、シートガイド３０上を搬送されるレンズシートＬＳは、シート押さえロー
ラー４２により、シートガイド３０に押圧される。
【００３６】
なお、レンズシートＬＳが搬送される際には、このレンズシートＬＳの搬送に追従して
、シート押さえローラー４２が軸部４２ａを支点として自転する。また、給紙ローラー４
０とシートガイド３０との間隔、および排紙ローラー４１とシートガイド３０との間隔も
、これらのローラーからレンズシートＬＳに対して適度な押圧力を作用させることができ
る間隔となっている。
【００３７】
印刷ヘッド５１は、キャリッジ５０の下面に取り付けられ、本実施例では、インクを噴
射するインクジェット型の記録ヘッドとして構成されているが、それ以外の方式（ジェル
ジェット、熱転写方式等）を用いるようにしても良い。キャリッジ５０は、左右方向に延
設されるキャリッジ軸５２に移動可能に支持され、また、キャリッジ用モーター５３によ
り駆動されるタイミングベルト５４に取り付けられている。このため、キャリッジ用モー
ター５３によりタイミングベルト５４を左右方向に回転駆動すると、印刷ヘッド５１は、
キャリッジ軸５２に沿って左右方向に移動する。また、キャリッジ５０には、インクカー
トリッジ５５（図３参照）が着脱可能に搭載されている。
【００３８】
以上の構成により、レンズシートＬＳに対して記録を行う場合には、レンチキュラーレ
ンズＬＳ１の側をシートガイド３０の係合部３２に対向させる状態で、レンズシートＬＳ
をシートガイド３０に載置させる。それにより、レンズシートＬＳのレンズＬと凸条３３
とが互いに噛み合い、レンズシートＬＳは係合部３２により左右方向（主走査方向）の位
置決めが行われる。また、凸条３３の長手方向がレンズシートＬＳの搬送方向（副走査方
向）に沿うように形成されている。したがって、レンズシートＬＳが搬送される際には、
当該レンズシートＬＳは、係合部３２により副走査方向にガイドされる。このように、搬
送方向が一定に維持された状態でレンズシートＬＳは搬送される。
【００３９】
＜制御部の構成＞
図３に示すように、制御部１００は、ＣＰＵ（Central  Processing  Unit）１０１、
ＲＯＭ（Read  Only  Memory）１０２、ＲＡＭ（Random  Access  Memory）１０３、ＥＥ
ＰＲＯＭ（Electronically  Erasable  and  Programmable  ROM）１０４、ＡＳＩＣ（Ap
plication  Specific  Integrated  Circuit）１０５、通信Ｉ／Ｆ１０７、ヘッドドライ
バー１０８、モータードライバー１０９等を備えていて、これらがたとえばバス等の伝送
路１０６を介して相互にデータを送受信可能に接続されている。
【００４０】
これらのうち、ＣＰＵ１０１は、ＲＯＭ１０２やＥＥＰＲＯＭ１０４に格納されている
プログラムに従って各種演算処理を実行し、プリンター１０の各部を制御する部分である
。ＲＯＭ１０２には、プリンター１０を制御するための制御プログラムおよび処理に必要
なデータ等が記憶されている。ＲＡＭ１０３は、ＣＰＵ１０１が実行途中のプログラムあ
るいは、演算途中のデータ等を一時的に格納するメモリーである。また、ＥＥＰＲＯＭ１
０４は、プリンター１０の電源を切った後も、保持しておくことが必要な各種データを記
憶するためのメモリーである。なお、ＲＯＭ１０２やＥＥＰＲＯＭ１０４にも、後述する
プリンタードライバープログラム１４２と同様のプログラムが存在する。
【００４１】
ＡＳＩＣ１０５は、不図示の各種のセンサーからの信号に基づいて、印刷ヘッド５１お
よび各種モーターを駆動させるための専用のＩＣである。また、通信Ｉ／Ｆ１０７は、不
図示のコネクターを介してコンピューター１３０と接続され、通信を行う。それにより、
プリンター１０がコンピューター１３０側から印刷信号ＰＳを受け取ると、その印刷信号
ＰＳに基づいて、プリンター１０で印刷のための処理が開始される。
【００４２】
また、ヘッドドライバー１０８は、ＡＳＩＣ１０５からの指令に応じて所定の電圧を生
成し、その電圧を印刷ヘッド５１内のピエゾ素子に印加する。モータードライバー１０９
は、ＡＳＩＣ１０５からの指令に応じて所定の電圧を生成し、その電圧を各モーター４３
，４４，５３に印加する。
【００４３】
＜コンピューターの概略構成＞
図３に示すように、プリンター１０は、通信Ｉ／Ｆ１０７を介して、コンピューター１
３０に接続されている。図４は、コンピューター１３０の概略構成を示す図である。コン
ピューター１３０は、ＣＰＵ１３１、ＲＯＭ１３２、ＲＡＭ１３３、ＨＤＤ（Hard  Disk
Drive）１３４、ビデオ回路１３５、インターフェイス１３６、表示装置１３７等を具
備している。このうち、ＨＤＤ１３４には、画像処理プログラム１４０、ビデオドライバ
ープログラム１４１、プリンタードライバープログラム１４２等が記憶されている。
【００４４】
これらのうち、画像処理プログラム１４０は、所定のオペレーティングシステム（ＯＳ
）の下で動作し、ＨＤＤ１３４等の記憶部位から所望の画像データを選択し、立体画像ま
たは変化画像を生成するためのＧＵＩ（Graphical  User  Interface）を表示するととも
に、選択された複数の画像データの相関性を計算するためのプログラムである。
【００４５】
ビデオドライバープログラム１４１は、所定のオペレーティングシステム（ＯＳ）の下
で動作し、ビデオ回路１３５を駆動するためのプログラムであり、たとえば、画像処理プ
ログラム１４０から供給された画像データに対してガンマ処理やホワイトバランスの調整
等を行った後、映像信号を生成して表示装置１３７に供給して表示させる際に実行される
。
【００４６】
プリンタードライバープログラム１４２は、所定のオペレーティングシステム（ＯＳ）
の下で動作し、画像処理プログラム１４０で作成された画像データに対して、解像度変換
処理を行い、ＲＧＢ表色系の合成画像データを作成等し、ＣＭＹＫ（Cyan、Magenta、Yel
low、Black）表色系の印刷データに変換する色変換処理、さらにＣＭＹＫ表色系によって
表されている印刷データに対するハーフトーン処理、およびラスタライズ処理の各処理を
行い、プリンター１０側に印刷信号ＰＳを出力する。
【００４７】
図５は、プリンタードライバープログラム１４２のモジュール構成を示すブロック図で
ある。プリンタードライバープログラム１４２は、補正ドット数算出モジュール１４２ａ
、解像度変換モジュール１４２ｂ、画像検出モジュール１４２ｃ、画像合成モジュール１
４２ｄ、色変換モジュール１４２ｅ、ハーフトーンモジュール１４２ｆ、印刷データ生成
モジュール１４２ｇ、送信モジュール１４２ｈ、ＬＵＴ１４２ｉ、記録率テーブル１４２
ｊを有している。
【００４８】
補正ドット数算出モジュール１４２ａは、補正するドット数を算出する。解像度変換モ
ジュール１４２ｂは、後述する元画像データの解像度を、プリンター１０の印刷解像度（
たとえば、７２０ｄｐｉ）等に応じて適宜変換するモジュールである。
【００４９】
画像検出モジュール１４２ｃは、元画像データにおいて補正対象となる補正対象画像デ
ータを検出する。
【００５０】
画像合成モジュール１４２ｄは、元画像データを細分化した部分画像データを生成し、
レンズごとに複数の部分画像データを視差順に配置したデータブロックを生成する。画像
合成モジュール１４２ｄは、補正対象画像データを有する部分画像データを含むデータブ
ロックを対象として、補正処理を行う。また、画像合成モジュール１４２ｄは、データブ
ロックを、レンズごと対応させて配置した合成画像データを生成する。
【００５１】
色変換モジュール１４２ｅは、ＬＵＴ１４２ｉを参照し、ＲＧＢ（Ｒｅｄ  Ｇｒｅｅｎ
Ｂｌｕｅ）表色系によって表現された画像データを、たとえば、ＣＭＹＫ（Cyan  Mage
nta  Yellow  Black）表色系の画像データに変換する処理を実行するモジュールである。
【００５２】
ハーフトーンモジュール１４２ｆは、たとえばディザ処理により、ＣＭＹＫ表色系によ
ってたとえば１画素が２５６階調によって表現される画像データを、記録率テーブル１４
２ｊを参照して、大ドット、中ドット、小ドットの３種類のドットサイズの組み合わせか
らなるビットマップデータに変換する処理を実行するモジュールである。
【００５３】
印刷データ生成モジュール１４２ｇは、ハーフトーンモジュール１４２ｆから出力され
たビットマップデータから、各主走査時のドットの記録状態を示すラスタデータと、副走
査送り量を示すデータとを含む印刷データを生成する処理を実行するモジュールである。
送信モジュール１４２ｈは、印刷データ生成モジュール１４２ｇによって生成された印刷
データを、プリンター１０に対して送信する処理を実行するモジュールである。
【００５４】
ＬＵＴ（Look  Up  Table）１４２ｉは、ＲＧＢ表色系の入力画像データと、ＣＭＹＫ
表色系の出力画像データの対応関係を示す情報を格納したテーブルである。
【００５５】
記録率テーブル１４２ｊは、たとえば、０〜２５５階調のそれぞれの場合における小、
中、大のドットの記録率を示す情報を格納したテーブルである。この記録率テーブル１４
２ｊを参照することにより、インク滴を噴射するときのドット径が階調値に応じて小ドッ
ト、中ドット、大ドットのいずれかに決定される。
【００５６】
＜補正ドット数算出モジュール１４２ａの処理内容＞
ここで、補正ドット数算出モジュール１４２ａによって、補正ドット数Ｎ１を算出する
方法について説明する。
【００５７】
まず、ピッチ差ＰＤを、下記の（式１）により求める。レンズピッチＰ１は、製造時の
誤差を考慮しない設計上の値（設計値）である。レンズピッチＰ２は、製造時の誤差が生
じたレンズシートＬＳを測定して得られた値である（図１（ａ）、（ｂ）参照）。
ピッチ差ＰＤ＝レンズピッチＰ１−レンズピッチＰ２      …（式１）
【００５８】
次に、１ドットを追加または削除することによって、ピッチ差ＰＤの累積分が補正され
るレンズＬの個数Ｎ２を算出する。すなわち１ドット分のピッチ差ＰＤの累積分が補正さ
れるレンズＬの個数Ｎ２は、インク滴を噴射してドットを形成するドット密度（印刷解像
度）Ｍ、上記で求められたピッチ差ＰＤを用いて、下記の（式２）により求められる。
レンズの個数Ｎ２＝ドット密度Ｍ÷ピッチ差ＰＤ          …（式２）
【００５９】
次に、測定値としてのレンズピッチＰ２を有するレンズＬが幅方向Ｗにおいてレンズの
個数Ｎ２分並んだときの距離Ｔを、下記の（式３）により求める。
距離Ｔ＝レンズピッチＰ２×レンズの個数Ｎ２            …（式３）
【００６０】
補正ドット数Ｎ１は、幅方向Ｗにおける、レンズシートの長さＳ（図１（ａ）参照）、
距離Ｔを用いて下記の（式４）により求められる。補正ドット数Ｎ１は、切り上げ、切り
下げ、四捨五入などによって得られる整数値である。
補正ドット数Ｎ１＝レンズシートの長さＳ÷距離Ｔ            …（式４）
【００６１】
＜画像検出モジュール１４２ｃの処理内容＞
図６（ａ）は、用紙に印刷またはディスプレイに表示した元画像４００を示す図である
。元画像４００においてオブジェクト４０１として描かれた「樹木」には、「幹」の境界
を示すエッジ４０２が形成されている。エッジ４０２は、図面上下方向に長く延びた直線
状である。画像検出モジュール１４２ｃは、元画像４００を形成する元画像データからエ
ッジ４０２を形成する画像データを検出する。
【００６２】
＜画像合成モジュール１４２ｄの処理内容＞
図７（ａ）〜（ｃ）は、画像合成モジュール１４２ｄの処理内容を説明するための模式
図である。説明のため、本実施例では、視差数が４とし、視差（視認角度）が異なる４個
の元画像データＭＧＤ１，ＭＧＤ２，ＭＧＤ３，ＭＧＤ４に基づいて、立体視される視認
画像が形成される。
【００６３】
元画像データＭＧＤ１，ＭＧＤ２，ＭＧＤ３，ＭＧＤ４は、視差順に形成された画像デ
ータである。元画像データＭＧＤ１，ＭＧＤ２，ＭＧＤ３，ＭＧＤ４は、カメラで撮像さ
れた画像データでもよいし、視差が異なる位置から見たデザインを形成するデータであっ
てもよい。
【００６４】
図７（ａ）は、画像合成モジュール１４２ｄによって、細分化された部分画像データか
ら構成される元画像データＭＧＤ１，ＭＧＤ２，ＭＧＤ３，ＭＧＤ４を示す。元画像デー
タＭＧＤ１は、部分画像データＢ１，１〜Ｂ１，４に細分化される。部分画像データＢ１
，１〜Ｂ１，４は、元画像データＭＧＤ１が細分化された部分画像データの一部を示した
ものである。
【００６５】
同様に、元画像データＭＧＤ２，ＭＧＤ３，ＭＧＤ４は、部分画像データＢ２，１〜Ｂ
２，４、部分画像データＢ３，１〜Ｂ３，４、部分画像データＢ４，１〜Ｂ４，４にそれ
ぞれ細分化される。このように、画像合成モジュール１４２ｄは、視差が異なる複数の元
画像データのそれぞれを細分化して部分画像データを生成する。
【００６６】
図７（ｂ）は、各レンズＬに対応するデータブロックＪ１〜Ｊ４を示す。データブロッ
クＪ１は、元画像データＭＧＤ１における部分画像データＢ１，１、元画像データＭＧＤ
２における部分画像データＢ２，１、元画像データＭＧＤ３における部分画像データＢ３
，１、元画像データＭＧＤ４における部分画像データＢ４，１を配置したものである。す
なわち、データブロックＪ１は、一つのレンズＬに対応させて、部分画像データＢ１，１
、Ｂ２，１、Ｂ３，１、Ｂ４，１を視差順に配置したものである。
【００６７】
同様に、データブロックＪ２は、一つのレンズＬに対応させて、部分画像データＢ１，
２、Ｂ２，２、Ｂ３，２、Ｂ４，２を視差順に配置したものであり、データブロックＪ３
は、一つのレンズＬに対応させて、部分画像データＢ１，３、Ｂ２，３、Ｂ３，３、Ｂ４
，３を視差順に配置したものであり、データブロックＪ４は、一つのレンズＬに対応させ
て、部分画像データＢ１，４、Ｂ２，４、Ｂ３，４、Ｂ４，４を視差順に配置したもので
ある。
【００６８】
図７（ａ）の矢印Ｅで示すように、元画像データＭＧＤ１における部分画像データＢ１
，３、元画像データＭＧＤ２における部分画像データＢ２，３、元画像データＭＧＤ３に
おける部分画像データＢ３，３、元画像データＭＧＤ４における部分画像データＢ４，３
には、図６（ａ）のエッジ４０２を形成する補正対象画像データが含まれる。従って、部
分画像データＢ１，３、Ｂ２，３、Ｂ３，３、Ｂ４，３によって構成される図７（ｂ）の
データブロックＪ３には、図６（ａ）のエッジ４０２を形成する補正対象画像データが含
まれる。
【００６９】
画像合成モジュール１４２ｄは、補正対象画像データが含まれるデータブロックＪ３を
対象として、補正ドット数算出モジュール１４２ａによって算出された補正ドット数Ｎ１
と同じ数値の個数の部分画像データに対して補正処理を行う。画像合成モジュール１４２
ｄは、１個の部分画像データに対して１ドット分の画像データを追加または削除する補正
処理を行う。例えば、補正ドット数Ｎ１が３個であるときは、データブロックＪ３におけ
る３個の部分画像データ（部分画像データＢ１，３、部分画像データＢ２，３、部分画像
データＢ３，３）に対して、１ドット分の画像データを追加または削除する補正処理をそ
れぞれ行う。データブロックＪ３における部分画像データＢ４，３に対しては補正処理を
行わない。
【００７０】
本実施例では、ピッチ差ＰＤがプラスの値（設計上の値であるレンズのピッチＰ１が測
定値としてのレンズのピッチＰ２より大きい）として、１個の部分画像データに対して幅
方向Ｗにおける１ドット分の画像データを追加する補正処理を行う。尚、ピッチ差ＰＤが
マイナスの値（設計上の値であるレンズのピッチＰ１が測定値としてのレンズのピッチＰ
２より小さい）である場合は、１個の部分画像データに対して幅方向Ｗにおける１ドット
分の画像データを削除する補正処理を行う。
【００７１】
図７（ｃ）は、データブロックＪ１，Ｊ２，Ｊａ３，Ｊ４を視差順に並べて配置した合
成画像データＧＧＤを示す模式図である。データブロックＪ１，Ｊ２，Ｊ４は、図７（ｂ
）のデータブロックＪ１，Ｊ２，Ｊ４が補正されずに、そのまま配置されたものである。
図７（ｃ）のデータブロックＪａ３は、図７（ｂ）のデータブロックＪ３が補正されて配
置されたものである。
【００７２】
図８（ａ）は、図７（ｃ）の合成画像データＧＧＤに基づいて印刷データを生成し、図
２の印刷ヘッド５１からインク滴を噴射してインク吸収層ＬＳ２に形成した視差画像ＳＧ
を示す模式図である。視差画像ＳＧは、幅方向Ｗに並ぶレンズＬ１〜Ｌ４に対応する画像
ブロックＫ１，Ｋ２，Ｋ３，Ｋ４を含んで構成される。
【００７３】
画像ブロックＫ１は、図７（ｃ）のデータブロックＪ１に基づいて、印刷データを生成
し、レンズＬ１に対応し、視差順に配置された部分画像Ｃ１，１〜Ｃ４，１から構成され
る。同様に、画像ブロックＫ２は、データブロックＪ２に基づいて、印刷データを生成し
、レンズＬ２に対応し、視差順に配置された部分画像Ｃ１，２〜Ｃ４，２から構成され、
画像ブロックＫ３は、データブロックＪａ３に基づいて、印刷データを生成し、レンズＬ
３に対応し、視差順に配置された部分画像Ｃ１，３〜Ｃ４，３から構成され、画像ブロッ
クＫ４は、データブロックＪ４に基づいて、印刷データを生成し、レンズＬ４に対応し、
視差順に配置された部分画像Ｃ１，４〜Ｃ４，４から構成される。
【００７４】
図８（ｂ）は、ドットで形成された画像ブロックＫ１〜Ｋ４を示す図である。本実施例
では、補正される前の一つの部分画像データによって、例えば３ドットの部分画像が形成
される場合について説明する。
【００７５】
画像ブロックＫ１は、補正対象とならなかった図７（ｃ）のデータブロックＪ１に基づ
いて形成されたものであり、一つの部分画像が３ドットずつ形成された部分画像Ｃ１，１
〜Ｃ４，１から構成される。同様に、画像ブロックＫ２，Ｋ４は、補正対象とならなかっ
たデータブロックＪ２，Ｊ４に基づいて形成されたものであり、一つの部分画像が３ドッ
トずつ形成された部分画像Ｃ１，２〜Ｃ４，２、Ｃ１，４〜Ｃ４，４からそれぞれ構成さ
れる。
【００７６】
図８（ｂ）の画像ブロックＫ３は、補正対象画像データを含む図７（ｂ）のデータブロ
ックＪ３を補正対象とし、図７（ｃ）の補正された部分画像データＢａ１，３、Ｂａ２，
３、Ｂａ３，３を含むデータブロックＪａ３に基づいて形成されたものである。画像ブロ
ックＫ３は、一つの部分画像が４ドットずつ形成された部分画像Ｃ１，３、Ｃ２，３、Ｃ
３，３と、一つの部分画像が３ドットずつ形成された部分画像Ｃ４，３によって構成され
る。
【００７７】
このように、補正処理によって、画像ブロックＫ３における３個の部分画像Ｃ１，３、
Ｃ２，３、Ｃ３，３においては、１ドット分が追加された４ドットから形成され、残りの
１個の部分画像Ｃ４，３においては、３ドットから形成される。
【００７８】
幅方向Ｗにおいて、ピッチ差ＰＤが累積されるので、図８（ａ）に示すように、視差画
像ＳＧにおいて、レンズＬ１の図面右側の端部とドットの図面右側の端部との位置ずれＤ
１、レンズＬ２の図面右側の端部とドットの図面右側の端部との位置ずれＤ２が生じる。
【００７９】
本実施例では、図８（ａ）のレンズＬ３に対応する画像ブロックＫ３は、図７（ｃ）の
補正された部分画像データＢａ１，３、Ｂａ２，３、Ｂａ３，３を含むデータブロックＪ
ａ３に基づいて画像ブロックＫ３が生成される。これにより、レンズＬ３，Ｌ４の図面右
側の端部とドットの図面右側の端部との位置ずれＤ３，Ｄ４は小さくなる。
【００８０】
＜プリンタードライバープログラムで実行される処理について＞
続いて、上述のような構成を有する印刷装置１１において、プリンタードライバープロ
グラム１４２で実行される処理の流れについて説明する。図９は、プリンタードライバー
プログラム１４２で実行される処理の流れを示すフローチャートである。
【００８１】
ステップＳ２００では、プリンタードライバープログラム１４２は、使用者の操作によ
ってキーボードなどの入力装置（不図示）から入力された設定値を取得する。設定値とし
ては、ドット密度Ｍ、図１（ａ）、（ｂ）に示す、設計値としてのレンズピッチＰ１、測
定値としてのレンズピッチＰ２、幅方向ＷにおけるレンズシートＬＳの長さＳ、視差数等
である。
【００８２】
ステップＳ２１０では、解像度変換モジュール１４２ｂは、複数の入力画像データの解
像度変換を行う。この解像度変換の処理においては、印刷に対応させたサイズの計算が行
われる。
【００８３】
ステップＳ２２０では、画像合成モジュール１４２ｄは、複数の元画像データに基づい
て、立体視される視差画像を形成するための合成画像データ生成処理を行う。
【００８４】
図１０は、ステップＳ２２０における合成画像データの生成処理の流れを説明するフロ
ーチャートである。ステップＳ３００では、補正ドット数算出モジュール１４２ａは、補
正ドット数Ｎ１を算出する。
【００８５】
ステップＳ３１０では、画像検出モジュール１４２ｃは、エッジ４０２（図６（ａ）参
照）が形成される画像データを補正対象画像データとして元画像データＭＧＤ１〜ＭＧＤ
４から検出する。
【００８６】
ステップＳ３２０では、画像合成モジュール１４２ｄは、元画像データＭＧＤ１〜ＭＧ
Ｄ４を細分化して部分画像データＢ１，１〜Ｂ４，４を生成する。そして、画像合成モジ
ュール１４２ｄは、レンズＬごとに対応し、視差順に部分画像データＢ１，１〜Ｂ４，４
を配置したデータブロックＪ１〜Ｊ４を生成する（図７（ｂ）参照）。
【００８７】
ステップＳ３３０では、画像合成モジュール１４２ｄは、ステップＳ３１０において検
出された補正対象画像データが含まれるデータブロックＪ３を対象として、１個の部分画
像データに対して幅方向Ｗにおける１ドット分の画像データを追加する補正処理を、ステ
ップＳ３００において補正ドット数算出モジュール１４２ａによって算出された補正ドッ
ト数Ｎ１と同じ数値の個数の部分画像データに対して補正処理を実行する。
【００８８】
ステップＳ３４０では、画像合成モジュール１４２ｄは、レンズＬ３に対応し、補正さ
れた図７（ｃ）のデータブロックＪａ３を含む各レンズＬ１〜Ｌ４に対応するデータブロ
ックＪ１，Ｊ２，Ｊａ３，Ｊ４を配置することにより合成画像データＧＧＤ（図７（ｃ）
参照）を生成し、図９のステップＳ２３０に戻る。
【００８９】
ステップＳ２３０では、色変換モジュール１４２ｅおよびＬＵＴ１４２ｉにより、色変
換処理が行われる。色変換処理では、合成画像データのＲＧＢ表色系で表現される色成分
が、プリンター１０で印刷可能なＣＭＹＫ表色系の色成分に変換される。
【００９０】
ステップＳ２４０では、ハーフトーンモジュール１４２ｆにより、色変換が為された合
成画像データに対して、ディザ法や誤差拡散法を用いてハーフトーン処理が行われる。ハ
ーフトーン処理とは、原画像データの階調値（本実施例では２５６階調）をプリンター１
０が画素毎に表現可能な階調値に減色する処理をいう。本実施例では、記録率テーブル１
４２ｊを参照して、たとえば、「ドットの形成なし」、「小ドットの形成」、「中ドット
の形成」、および「大ドットの形成」の４階調への減色を行う。
【００９１】
ステップＳ２５０では、印刷データ生成モジュール１４２ｇは、印刷データを生成する
。ここで、印刷データとは、各主走査時のドットの記録状態を示すラスタデータと、副走
査送り量を示すデータとを含むデータであり、不図示の分散テーブルの分散データを参照
して作成される。
【００９２】
ステップＳ２６０では、送信モジュール１４２ｈは、生成された印刷データを、プリン
ター１０に対して出力する。
【００９３】
コンピューター１３０側での処理が終了し、プリンター１０が印刷データを受信すると
、制御部１００のＣＰＵ１０１は、制御指令を発し、この制御指令に基づいて、キャリッ
ジ用モーター５３および印刷ヘッド５１が駆動される。それにより、キャリッジ５０は、
主走査方向に移動しながら、不図示のノズルよりインク滴をレンズシートＬＳに噴射させ
て、印刷が実行され、図８（ａ）のレンズシートＬＳには立体視される視差画像ＳＧが形
成される。
【００９４】
以上、本実施例で説明した印刷装置を構成する、プリンター１０、コンピューター１３
０を用いた画像処理方法では、第１の方向である幅方向Ｗに複数のレンズＬが並んで配置
されたレンズシートＬＳに、視差が異なる複数の元画像データＭＧＤ１，ＭＧＤ２，ＭＧ
Ｄ３，ＭＧＤ４に基づいて、立体視される視差画像ＳＧを形成する画像処理方法であって
、幅方向Ｗにおける、設計値としてのレンズピッチＰ１と測定値としてのレンズピッチＰ
２とのピッチ差ＰＤ、ドット密度Ｍ、レンズシートＬＳの長さＳに基づいて、補正ドット
数Ｎ１を算出する算出工程（図１０のステップＳ３００）と、元画像データにおいて補正
対象となる補正対象画像データを検出する検出工程（ステップＳ３１０）と、を含む。
【００９５】
そして、複数の元画像データＭＧＤ１〜ＭＧＤ４を細分化した複数の部分画像データＢ
１，１〜Ｂ４，４を生成し、レンズＬ１〜Ｌ４ごとに複数の部分画像データＢ１，１〜Ｂ
４，４を視差順に配置したデータブロックＪ１〜Ｊ４を生成するブロック生成工程（ステ
ップＳ３２０）と、検出工程において検出された補正対象画像データを含むデータブロッ
クＪ３を対象として、１個の部分画像データに対して幅方向Ｗにおける１ドット分の画像
データを挿入または削除して補正する処理を、補正ドット数Ｎ１の数値と同じ個数の部分
画像データに対して補正する補正工程（ステップＳ３３０）と、補正工程において補正さ
れたデータブロックＪａ３を含む全部のデータブロックＪ１，Ｊ２，Ｊａ３，Ｊ４を、レ
ンズＬ１〜Ｌ４ごとに対応させて配置した合成画像データを生成する画像合成工程（ステ
ップＳ３４０）とを含む。
【００９６】
この構成により、画像データを補正したことにより、立体視される視差画像ＳＧにおい
て生じる、長手方向Ｈに延びる不要な線を目立たない部分に生じさせることができる。そ
のため、立体視される視差画像ＳＧの品質低下を抑制できる。
【００９７】
また、補正対象画像データは、元画像ＭＧＤ１，ＭＧＤ２，ＭＧＤ３，ＭＧＤ４におい
て幅方向Ｗと交わる方向（長手方向Ｈ）に延びるエッジ４０２を形成する画像データであ
る。
【００９８】
この構成によれば、補正したことによって視差画像ＳＧに生じる、長手方向Ｈに延びる
不要な線が、エッジと重なることによって目立たなくなる。
【００９９】
（実施例２）
実施例２では、オブジェクトとしての「フレーム」のエッジが形成される画像データを
補正対象画像データとして検出する場合について説明する。
【０１００】
図６（ｂ）は、周囲にオブジェクトとしての「フレーム４１１」が描かれた元画像４１
０を示す図である。「フレーム４１１」には、図面上下方向に延びる直線状のエッジ４１
２が形成される。
【０１０１】
本実施例では、画像検出モジュール１４２ｃは、元画像４１０を形成する元画像データ
から「フレーム４１１」におけるエッジ４１２を形成する画像データを検出し、補正対象
画像データとする。この補正対象画像データは、視差画像ＳＧを形成するデータブロック
に含まれる。
【０１０２】
元画像４１０におけるエッジ４１２を形成する元画像データは、細分化されて視差順に
配置された部分画像データとなり、立体視される視差画像ＳＧにおいてレンズシートＬＳ
の外周に沿って形成されたオブジェクトとしての「フレーム」の部分となる。
【０１０３】
この補正対象画像データを含むデータブロックを対象として、補正する処理を実行して
も、立体視される視差画像ＳＧに生じる不要な線が、「フレーム」のエッジと重なること
によって目立たなくなる。実施例２におけるその他の構成は、実施例１で説明した構成と
同じである。
【０１０４】
（実施例３）
実施例３では、視差画像において移動量が小さいオブジェクトを形成する画像データを
補正対象画像データとして検出する場合について説明する。
【０１０５】
図１１（ａ）〜（ｃ）は、移動量を説明するための図である。図１１（ａ）は、一例と
しての円柱状の被写体５００を示す図である。図１１（ｂ）は、図１１（ａ）の矢印方向
から見た図である。符番５０１〜５０４は、視差（視認角度）の異なる位置から被写体５
００を見た観察者の目の位置を示す。
【０１０６】
図１１（ｃ）は、目の位置５０１〜５０４のそれぞれから撮像された元画像５１１〜５
１４を示す。元画像５１１〜５１４には、被写体５００が撮像されたオブジェクト５２０
ａ〜５２０ｄがそれぞれ形成される。
【０１０７】
目の位置５０１から目の位置５０４に視差が変化すると、元画像５１１〜５１４におけ
るオブジェクト５２０ａ〜５２０ｄの位置は、図１１（ｃ）に示すように図面右側に移動
する。移動量Ｑ１は、視認角度の範囲Ｒ１で目の位置５０１から目の位置５０４に視差が
変化したとき、オブジェクト５２０ａの位置からオブジェクト５２０ｄの位置に移動した
距離を示す。
【０１０８】
図１２（ａ）〜（ｃ）は、図１１（ｃ）の移動量Ｑ１と比較して説明するための図であ
る。図１２（ａ）は、一例としての円柱状の被写体６００を示す図である。図１２（ｂ）
は、図１２（ａ）の矢印方向から見た図である。符番６０１〜６０４は、視差（視認角度
）の異なる位置から被写体６００を見た観察者の目の位置を示す。
【０１０９】
図１２（ｃ）は、目の位置６０１〜６０４のそれぞれから撮像された元画像６１１〜６
１４を示す。元画像６１１〜６１４には、被写体６００が撮像されたオブジェクト６２０
ａ〜６２０ｄがそれぞれ形成される。
【０１１０】
目の位置６０１から目の位置６０４に視差が変化すると、元画像６１１〜６１４におけ
るオブジェクト６２０ａ〜６２０ｄの位置は、図に示すように図面右側に移動する。移動
量Ｑ２は、視認角度の範囲Ｒ２で目の位置６０１から目の位置６０４に視差が変化したと
き、オブジェクト６２０ａの位置からオブジェクト６２０ｄの位置に移動した距離を示す
。
【０１１１】
図１２（ｂ）の視認角度の範囲Ｒ２は、図１１（ｂ）の視認角度の範囲Ｒ１より小さい
。そのため、図１２（ｃ）の移動量Ｑ２は、図１１（ｃ）の移動量Ｑ１より小さい。
【０１１２】
図１３は、移動量が異なるオブジェクト５２０ａ，５２０ｄとオブジェクト６２０ａ，
６２０ｄが形成された元画像７００，７０１を示す図である。元画像７００に形成された
オブジェクト６２０ａが、元画像７０１に形成されたオブジェクト６２０ｄに移動した移
動量Ｑ２は、元画像７００に形成されたオブジェクト５２０ａが、元画像７０１に形成さ
れたオブジェクト５２０ｄに移動した移動量Ｑ１より小さい。
【０１１３】
本実施例では、画像検出モジュール１４２ｃは、移動量が小さいオブジェクト６２０ａ
〜６２０ｄを含む部分画像データにおいて補正処理を行う。オブジェクト６２０ａ〜６２
０ｄを形成する部分画像データにおける階調値の変化は、オブジェクト５２０ａ〜５２０
ｄを形成する部分画像データにおける階調値の変化より大きい。そのため、オブジェクト
６２０ａ〜６２０ｄを含む部分画像データにおいて補正処理を行うことにより、視差画像
ＳＧに生じる不要な線が目立たないようにすることができる。実施例３におけるその他の
構成は、実施例１で説明した構成と同じである。
【０１１４】
（実施例４）
実施例４では、複数の円形状のレンズが配置されたレンズシートについて説明する。図
１４は、複数の円形状のレンズが配置された様子を示す図である。図１４は、図示しない
、インク吸収層、インク透過層と反対側から見た図である。
【０１１５】
一点鎖線に示した断面位置Ｆ−Ｆ´において見たレンズシートの概略構成は、図１（ｂ
）を用いて説明した構成と同じである。レンズ８００は円形状を有し、第１の方向Ｕ、第
１の方向Ｕと交わる第２の方向Ｖに並んで配置される。
【０１１６】
実施例１〜実施例３で説明したように、印刷装置１１を用いた画像処理方法により、第
１の方向Ｕにおいて配置される部分画像を形成する部分画像データを補正する。これによ
り、画像データを補正したことにより、立体視される視差画像ＳＧにおいて生じる、第２
の方向Ｖに延びる不要な線を目立たない部分に生じさせることができる。
【０１１７】
本実施例では、さらに、第２の方向Ｖにおいて、設計値としてのレンズピッチＰ１と測
定値としてのレンズピッチＰ２とのピッチ差ＰＤ、ドット密度Ｍ、レンズシートの長さに
基づいて、補正ドット数Ｎ１を算出するステップを含む。
【０１１８】
実施例１〜実施例３で説明した画像処理方法により、第２の方向Ｖにおいて配置される
部分画像を形成する部分画像データを補正する。これにより、画像データを補正したこと
により、立体視される視差画像ＳＧにおいて生じる、第１の方向Ｕに延びる不要な線を目
立たない部分に生じさせることができる。
【０１１９】
実施例１〜実施例４では、プリンター１０とコンピューター１３０とから構成される印
刷装置１１について説明したが、プリンター１０のみで印刷装置を構成するようにしても
よい。
【符号の説明】
【０１２０】
１０…プリンター、１３０…コンピューター、４１１…フレーム、４０２，４１２…エ
ッジ、８００…レンズ、Ｂ１，１〜Ｂ４，４、Ｂａ１，３〜Ｂａ３，３…部分画像データ
、Ｃ１，１〜Ｃ４，４…部分画像、Ｈ…長手方向、Ｊ１〜Ｊ４，Ｊａ３…データブロック
、Ｋ１，Ｋ２，Ｋ３，Ｋ４…画像ブロック、Ｌ，Ｌ１〜Ｌ４…レンズ、ＬＳ…レンズシー
ト、Ｍ…ドット密度、ＭＧＤ１，ＭＧＤ２，ＭＧＤ３，ＭＧＤ４…元画像データ、Ｎ１…
補正ドット数、Ｐ１，Ｐ２…レンズピッチ、ＰＤ…ピッチ差、Ｑ１，Ｑ２…移動量、Ｓ…
長さ、ＳＧ…視差画像、Ｕ…第１の方向、Ｖ…第２の方向、Ｗ…幅方向。
【図１】
2015031816.tif 000003
【図２】
2015031816.tif 000004
【図３】
2015031816.tif 000005
【図４】
2015031816.tif 000006
【図５】
2015031816.tif 000007
【図６】
2015031816.tif 000008
【図７】
2015031816.tif 000009
【図８】
2015031816.tif 000010
【図９】
2015031816.tif 000011
【図１０】
2015031816.tif 000012
【図１１】
2015031816.tif 000013
【図１２】
2015031816.tif 000014
【図１３】
2015031816.tif 000015
【図１４】
2015031816.tif 000016